(57)【特許請求の範囲】
【請求項１】
吸込口を備えるケースと、
前記ケースに対して回転できるように前記ケースに支持される回転ブラシと、
前記ケース内において前記ケースの幅方向における前記回転ブラシの外側に配置される光源と、
前記光源から出力される光を案内する導光板とを備え、
前記導光板の長手方向の端部に光の入射境界面が形成され、前記入射境界面と前記光源とが対向することによって、前記導光板を透過した光が被清掃面に照射される
電気掃除機の吸込具。
【請求項２】
前記導光板が細長い形状を有し、前記ケースの幅方向に沿うように配置される
請求項１に記載の電気掃除機の吸込具。
【請求項３】
前記ケースは前壁を備え、
前記前壁は前記光源から出力される光を被清掃面に照射する窓を備え、
前記光源は前記ケース内の左右両側に配置され、
前記導光板は前記ケースの左側に配置される前記光源と前記ケースの右側に配置される前記光源との間に配置され、
前記導光板の少なくとも一部は前記窓に対向する
請求項１または２に記載の電気掃除機の吸込具。
【請求項４】
前記導光板は、前記導光板の背面に形成され、光を前方に反射する反射境界面、および、前記導光板の前面に形成され、光を前方に照射する透過境界面を備え、
前記光源から出力された光の一部は、前記導光板を透過した後に前記反射境界面により前方に反射され、前記透過境界面により前記導光板の前方に照射される
請求項１〜３のいずれか一項に記載の電気掃除機の吸込具。
【請求項５】
前記反射境界面および前記透過境界面の少なくとも一方が前記ケースの前方側に倒れ込むように傾斜している
請求項４に記載の電気掃除機の吸込具。
【請求項６】
前記反射境界面はプリズムを備え、
前記プリズムのパターンは、前記反射境界面により反射された光に、前記ケースの平面視において前記ケースの前後方向に沿って進行する成分、および、前記ケースの平面視において前記ケースの前後方向に対して斜めに進行する成分が含まれるパターンである
請求項４または５に記載の電気掃除機の吸込具。
【請求項７】
請求項１〜６のいずれか一項に記載の吸込具を備える電気掃除機。
【発明の詳細な説明】
【技術分野】
【０００１】
本発明は電気掃除機およびその吸込具に関する。
【背景技術】
【０００２】
電気掃除機の吸込具の一形態は吸込口を備えるケース、および、光を出力する照明ユニットを備える。照明ユニットはケースの前方に存在する被清掃面に光を照射することにより、電気掃除機の使用者がごみを見つけやすい環境を提供する役割を持つ。照明ユニットに関するよく知られた形態は、ケース内に配置され、電気掃除機の本体と電気的に接続される回路基板、および、回路基板に実装される砲弾型ＬＥＤを含む形態である。なお、特許文献１は従来の吸込具の一例を開示している。
【先行技術文献】
【特許文献】
【０００３】
【特許文献１】特開２０１３−１７２８０８号公報
【発明の概要】
【発明が解決しようとする課題】
【０００４】
従来の照明ユニットによりケースの前方の直下に適切に光を照射させるためには、砲弾型ＬＥＤをできるだけケースのうちの前方部分に配置することが求められる。しかし、砲弾型ＬＥＤがケースの前方部分に配置されることにより吸込具の高さが高くなることがある。この場合、吸込具が例えば家具の下のような狭い部分に入りにくくなる。
【０００５】
本発明の目的は光の照射範囲を容易に調整できる吸込具、および、これを備える電気掃除機を提供することである。
【課題を解決するための手段】
【０００６】
本発明の一形態に従う電気掃除機の吸込具は、吸込口を備えるケースと、前記ケース内に配置される光源と、前記光源から出力される光を透過する導光板とを備え、前記導光板を透過した光が被清掃面に照射される。
【発明の効果】
【０００７】
上記電気掃除機の吸込具、および、これを備える電気掃除機によれば、光の照射範囲を容易に調整できる。
【図面の簡単な説明】
【０００８】
【図１】は実施の形態１の吸込具の模式図である。
【図２】は実施の形態２の吸込具の模式図である。
【図３】は実施の形態３の吸込具の模式図である。
【図４】は実施の形態４の吸込具の模式図である。
【図５】は実施の形態５の電気掃除機の斜視図である。
【図６】は図５の吸込具の斜視図である。
【図７】は図６の吸込具の上面図である。
【図８】は図６の吸込具の正面図である。
【図９】は図６の吸込具の分解斜視図である。
【図１０】は光学素子群が配置された図９の下部アセンブリーの斜視図である。
【図１１】は光学素子群が省略された図９の下部アセンブリーの上面図である。
【図１２】は図９の光学素子群に関する正面側の斜視図である。
【図１３】は図９の光学素子群に関する背面側の斜視図である。
【図１４】は図１２の光学素子群の各要素が結合された状態の一部の正面図である。
【図１５】は図１２の光学素子群の各要素が結合された状態の一部の正面図である。
【図１６】は図１２の光学素子群の各要素が結合された状態の一部の正面図である。
【図１７】は図１１の光源周辺の拡大図である。
【図１８】は光学素子群が配置された図１１の光源周辺の拡大図である。
【図１９】は光学素子群が省略された図１０の光源周辺の拡大図である。
【図２０】は図１０の光源周辺の拡大図である。
【図２１】は図７のＸ２１−Ｘ２１線の断面図である。
【図２２】は図７のＸ２２−Ｘ２２線の断面図である。
【図２３】は図７のＸ２３−Ｘ２３線の断面図である。
【図２４】は図２１の光学素子群周辺の拡大図である。
【図２５】は図２２の光学素子群周辺の拡大図である。
【図２６】は図２３の光源周辺の拡大図である。
【図２７】は図１０の照明ユニットの模式図である。
【図２８】は図７の吸込具の前方部分の上面図である。
【図２９】は図６の吸込部の正面図である。
【図３０】は図２２の吸込具の前方部分の断面図である。
【発明を実施するための形態】
【０００９】
（電気掃除機およびその吸込具が取り得る形態の一例）
〔１〕本発明に従う電気掃除機の吸込具の一形態は、吸込口を備えるケースと、前記ケース内に配置される光源と、前記光源から出力される光を透過する導光板とを備え、前記導光板を透過した光が被清掃面に照射される。
【００１０】
本吸込具によれば、光源から出力される光が導光板に照射され、導光板を透過した光が被清掃面に照射される。本吸込具が備える光の照射方式によれば、砲弾型ＬＥＤがケースの内部に配置される従来の吸込具と比較して、被清掃面に光を照射するための部品がケースの内部において占める空間を狭くする余地が広がる。このため、光の照射範囲を容易に調節できる。また、従来の吸込具と比較して吸込具の高さを低く設定できる。
【００１１】
〔２〕前記電気掃除機の吸込具の一例によれば、前記導光板が細長い形状を有し、前記ケースの幅方向に沿うように配置される。
本吸込具によれば、ケースの前方の幅方向の広い範囲に光を照射可能である。このため、ケースの幅方向における光のむらが生じにくい。
【００１２】
〔３〕前記電気掃除機の吸込具の一例によれば、前記導光板の長手方向の端部に光の入射境界面が形成され、前記入射境界面と前記光源とが対向する。
本吸込具によれば、光源を導光板の端部側に配置するという単純な作業により導光板から光を照射させる機能が実現されるため、光源を構成する部品の数が増加しにくい。
【００１３】
〔４〕前記電気掃除機の吸込具の一例によれば、前記ケースは前壁を備え、前記前壁は前記光源から出力される光を被清掃面に照射する窓を備え、前記光源は前記ケース内の左右両側に配置され、前記導光板は前記ケースの左側に配置される前記光源と前記ケースの右側に配置される前記光源との間に配置され、前記導光板の少なくとも一部は前記窓に対向する。
【００１４】
本吸込具によれば、導光板の左右両側に配置される光源から出力される光が導光板を透過し、さらに窓を通過して被清掃面に照射される。このため、被清掃面がより明るくなる。また、各光源が導光板の左右両側に配置されるため、複数の光源が配置される吸込具において吸込具の高さを低く設定できる。
【００１５】
〔５〕前記電気掃除機の吸込具の一例によれば、前記導光板は、前記導光板の背面に形成され、光を前方に反射する反射境界面、および、前記導光板の前面に形成され、光を前方に照射する透過境界面を備え、前記光源から出力された光の一部は、前記導光板を透過した後に前記反射境界面により前方に反射され、前記透過境界面により前記導光板の前方に照射される。
【００１６】
本吸込具によれば、導光板の内部において後方側に進行する光が反射境界面により前方側に反射され、この光が透過境界面を透過して被清掃面に照射される。このため、光源から出力される光が被清掃面に効率的に照射される。
【００１７】
〔６〕前記電気掃除機の吸込具の一例によれば、前記反射境界面および前記透過境界面の少なくとも一方が前記ケースの前方側に倒れ込むように傾斜している。
本吸込具によれば、透過境界面を透過した光がおおよそケースの前方の下方に進行する。このため、被清掃面において使用者の視線が集中しやすい領域に適切に光が照射され、使用者によるごみの視認性が向上する。
【００１８】
〔７〕前記電気掃除機の吸込具の一例によれば、前記反射境界面はプリズムを備え、前記プリズムのパターンは前記反射境界面により反射された光に、前記ケースの平面視において前記ケースの前後方向に沿って進行する成分、および、前記ケースの平面視において前記ケースの前後方向に対して斜めに進行する成分が含まれるパターンである。
【００１９】
本吸込具によれば、反射境界面により反射される光の方向がプリズムのパターンにより決められる。このため、被清掃面に形成される光の照射範囲の設定に関する自由度が高められる。
【００２０】
また、ケースの平面視においてケースの前後方向に沿うように進行する光はケースの前方側の遠方に到達しやすく、ケースの平面視においてケースの前後方向に対して斜めに進行する光はケースの前方側においてケースの幅方向に広がりやすい。このため、ケースの前方側に広い光の照射範囲が形成される。
【００２１】
〔８〕本発明に従う電気掃除機の一形態は前記吸込具を備える。
本電気掃除機の使用者は吸込具により被清掃面に光を照射しながら被清掃面を清掃できる。このため、本電気掃除機は掃除しやすい環境を使用者に提供できる。
【００２２】
（実施の形態１）
図１は電気掃除機を構成する要素の１つである吸込具１０の内部の平面図である。吸込具１０は電気掃除機を構成する別の要素である延長管またはホース（図示略）により電気掃除機の本体（図示略）と接続され、複数の要素を備える。一例によれば、吸込具１０を構成する複数の要素は吸込具１０の外形を形成するケース２０、ごみをかき上げる回転ブラシ１１、回転ブラシ１１にトルクを与える電動機１２、および、ケース２０の前方かつ下方に光を照射する照明ユニット１００を含む。複数の要素はさらに、照明ユニット１００および電動機１２に電力を供給する回路基板７０を含む。
【００２３】
ケース２０には電気掃除機を構成する別の要素である補助吸込具９０が接続される。補助吸込具９０は空気を流す吸引通路９１を備え、延長管またはホース（図示略）と接続される。吸込具１０および補助吸込具９０は使用者による取り付けおよび取り外しが可能な着脱構造を備える。
【００２４】
ケース２０は各要素を支持する底壁２１、ケース２０の周囲を形成する前壁２２、一対の側壁２３、後壁２４、ケース２０の天井を形成する上壁２５（図６参照）、および、これらの壁により形成される空間である収容空間２６を備える。ケース２０はさらに、底壁２１に開口する吸込口２７、および、前壁２２に開口する窓２８を備える。ケース２０の形状は吸込具１０の幅方向の中心を通過する中心線（以下では「吸込具１０の中心線」）に対して略左右対称である。
【００２５】
ケース２０はさらに、底壁２１の一部を構成するブラシハウジング２０Ａ、および、補助吸込具９０の吸引通路９１と接続される吸引通路２９を備える。吸込口２７はブラシハウジング２０Ａ内に形成される空間の開口である。吸引通路２９はブラシハウジング２０Ａの空間と繋がる。
【００２６】
回転ブラシ１１はブラシハウジング２０Ａ内に形成される空間に配置され、ブラシハウジング２０Ａに対して回転できるようにケース２０により支持される。一例によれば、ケース２０の前後方向における回転ブラシ１１の位置は、回転ブラシ１１の回転中に回転ブラシ１１の毛が前壁２２の背面と実質的に接触する位置に設定される。
【００２７】
回路基板７０はケース２０の収容空間２６に配置され、ケース２０に固定される。電気掃除機の使用形態の一例によれば、回路基板７０は補助吸込具９０、延長管、および、ホースを介して電気掃除機の本体と電気的に接続される。電気掃除機の使用形態の別の一例によれば、回路基板７０は補助吸込具９０およびホースを介して電気掃除機の本体と電気的に接続される。
【００２８】
照明ユニット１００は収容空間２６に光を出力する光源１１０、および、光源１１０から出力される光を透過する導光板２１０を備える。光源１１０は、回転ブラシ１１において毛が植えられている部分よりも吸込具１０の幅方向の外側に配置されて回路基板７０と電気的に接続される光源基板１１１、および、光源基板１１１に実装されるチップＬＥＤ１１２を備える。光源基板１１１はケース２０に固定される。チップＬＥＤ１１２は光源基板１１１から供給される電流により駆動する。
【００２９】
導光板２１０は細長い形状を有し、吸込具１０の幅方向に沿うようにケース２０の収容空間２６に配置され、窓２８を介してケース２０の前方側の空間に面する。導光板２１０はさらに、ケース２０の前方側に倒れ込むように傾斜した姿勢を有し、直接的または間接的にケース２０に固定される。
【００３０】
導光板２１０はチップＬＥＤ１１２から出力される光を透過させる光学素子であり、複数の境界面を備える。複数の境界面は、導光板２１０の長手方向の端部の境界面である入射境界面２１１、導光板２１０の内部を進行する光を導光板２１０の前方側に反射する反射境界面２１２、および、導光板２１０の内部を進行する光を透過させる透過境界面２１３を含む。反射境界面２１２の少なくとも一部にはプリズムが形成される。チップＬＥＤ１１２と入射境界面２１１との間には微小な隙間である入射隙間１２０が形成される。
【００３１】
吸込具１０は例えば次のように動作する。
回路基板７０は電気掃除機の本体から供給される電力を光源基板１１１および電動機１２の一方または両方に供給する。光源基板１１１に電流が供給されることによりチップＬＥＤ１１２が光を出力する。チップＬＥＤ１１２から出力された光は、導光板２１０の入射境界面２１１から導光板２１０の内部に入射し、導光板２１０の内部を進行する。導光板２１０の内部を進行する光は、反射境界面２１２により反射されることなく透過境界面２１３を透過する、または、反射境界面２１２により反射されてから透過境界面２１３を透過する。透過境界面２１３を透過した光は、ケース２０の窓２８を通過し、ケース２０の前方および前方の下方に照射される。このため、被清掃面の一例である床面が照射された光により照らされる。
【００３２】
実施の形態１の吸込具１０によれば例えば以下の効果が得られる。
（１）吸込具１０は、ケース２０内に配置される光源１１０、および、光源１１０から出力される光を透過する導光板２１０を備える。この構成によれば、砲弾型ＬＥＤがケースの内部に配置される従来の吸込具と比較して、被清掃面に光を照射するための部品がケースの内部において占める空間を狭くする余地が広がる。このため、光の照射範囲を容易に調節できる。また、従来の吸込具と比較して吸込具１０の高さを低く設定できる。
【００３３】
（２）吸込具１０が備える光の照射方式は、被清掃面に光を出力する要素である導光板２１０を用いた照射方式である。この照射方式によれば、被清掃面に光を出力する別の要素である砲弾型ＬＥＤを用いる照射方式と比較して、光を出力する要素が吸込具の前後方向に占める領域を狭く設定する余地が大きい。このため、吸込具１０によれば、導光板２１０を吸込具１０におけるより前方部分に配置する配置形態を取り入れても、吸込具１０を構成する他の要素の配置に対する影響が小さい、または、他の要素の配置に対する影響が実質的に生じにない。このため、吸込具１０は光の照射範囲を容易に調節できる。
【００３４】
（３）光源１１０が回転ブラシ１１において毛が植えられている部分よりもケース２０の幅方向の外側に配置される。この構成によれば、ケース２０の高さ方向における光源１１０の位置が回転ブラシ１１による制約を受けにくい。このため、光源１１０および導光板２１０の位置を低く設定する余地が広がる。
【００３５】
（４）上記（１）〜（３）の構成によれば、ケース２０の前後方向における回転ブラシ１１の位置が照明ユニット１００による制約を受けにくい。このため、回転ブラシ１１の位置をケース２０の前壁２２に近づける余地が広がる。実施の形態１の吸込具１０はこの構成を踏まえ、回転ブラシ１１の前方部分が前壁２２の背面の近傍に配置される。このため、ケース２０の前壁２２の近傍に存在するごみが吸込口２７により吸い込まれやすい。
【００３６】
（５）導光板２１０が細長い形状を有し、ケース２０の幅方向に沿うように配置される。この構成によれば、ケース２０の前方における幅方向の広い範囲に光が照射される。このため、ケース２０の幅方向における光のむらが生じにくい。
【００３７】
（６）導光板２１０は長手方向の端部に入射境界面２１１を備える。入射境界面２１１は光源１１０と対向する。この構成によれば、光源１１０を導光板２１０の端部側に配置するという単純な作業により導光板２１０から光を照射させる機能が実現されるため、光源１１０を構成する部品の数が増加しにくい。
【００３８】
（７）ケース２０は前壁２２を備える。前壁２２は光源１１０から出力される光を被清掃面に照射する窓２８を備える。光源１１０はケース２０内の左右両側に配置される。導光板２１０はケース２０の左側に配置される光源１１０とケース２０の右側に配置される光源１１０との間に配置される。導光板２１０の少なくとも一部は窓２８に対向する。
【００３９】
この構成によれば、導光板２１０の左右両側に配置される光源１１０から出力される光が導光板２１０を透過し、さらに窓２８を通過して被清掃面に照射される。このため、被清掃面がより明るくなる。また、各光源１１０が導光板２１０の左右両側に配置されるため、複数の光源１１０が配置される吸込具１０において吸込具１０の高さを低く設定できる。
【００４０】
（８）光源１１０がケースの２０の左右両端に配置される。また、細長い導光板２１０がブラシハウジング２０Ａ上に配置される。さらに、導光板２１０がケース２０の前後方向においてケース２０の前壁２２と回転ブラシ１１の回転軸との間に配置される。この構成によれば、例えば砲弾型ＬＥＤが回転ブラシ１１の上方に配置される場合と比較して、ケース２０の高さを低く設定できる余地が広がる。
【００４１】
（９）導光板２１０の長手方向の端部に形成される入射境界面２１１と光源１１０とが対向する。この構成によれば、例えば、導光板２１０の上方に光源１１０が配置される場合と比較して、ケース２０の高さを低く設定できる余地が広がる。また、導光板２１０の後方に光源１１０が配置される場合と比較して、ケース２０の奥行きを短く設定できる余地が広がる。
【００４２】
（１０）導光板２１０の入射境界面２１１とチップＬＥＤ１１２との間に入射隙間１２０が形成される。この構成によれば、ケース２０に衝撃的な力が加えられることにより導光板２１０がケース２０に対して移動したとしても、導光板２１０がチップＬＥＤ１１２に接触しにくい。このため、チップＬＥＤ１１２が破損するおそれが低減される。
【００４３】
（１１）導光板２１０がケース２０の前方側に倒れ込むように傾斜している。この構成によれば、導光板２１０を透過した光がおおよそケース２０の前方の下方に進行する。このため、被清掃面において使用者の視線が集中しやすい領域に適切に光が照射され、使用者によるごみの視認性が向上する。
【００４４】
（１２）導光板２１０が直接的または間接的にケース２０に固定される。この構成によれば、ケース２０に衝撃的な力が加えられても導光板２１０がケース２０に対して移動しにくい。
【００４５】
（実施の形態２）
図２は実施の形態２の吸込具１０における内部の平面図である。実施の形態２の吸込具１０は実施の形態１に明示されていない以下の構成をさらに備える。実施の形態２の説明において実施の形態１と同じ符号が付された要素は、実施の形態１における対応する要素と同様または類似の機能を備える。
【００４６】
照明ユニット１００は実施の形態１に示される光源１１０である第１の光源１１０に加えて、第１の光源１１０と実質的に同様の構成を備える第２の光源１１０を備える。第２の光源１１０は、導光板２１０の左側の端部よりも吸込具１０の幅方向の外側に配置される。第１の光源１１０および第２の光源１１０は吸込具１０の中心線に対して略左右対称の関係を有する。
【００４７】
実施の形態２の吸込具１０によれば、実施の形態１の吸込具１０により得られる（１）〜（１２）の効果に加えて、さらに以下の効果が得られる。
（１３）照明ユニット１００は左右一対の光源１１０を備える。この構成によれば、第２の光源１１０が存在しない場合と比較して照明ユニット１００から被清掃面に照射される光の量が多くなるため、使用者によるごみの視認性がより向上する。
【００４８】
（実施の形態３）
図３は実施の形態３の吸込具１０における内部の平面図である。実施の形態３の吸込具１０は実施の形態２に明示されていない以下の構成をさらに備える。実施の形態３の説明において実施の形態２と同じ符号が付された要素は、実施の形態２における対応する要素と同様または類似の機能を備える。
【００４９】
照明ユニット１００は導光板２１０の反射境界面２１２側に配置される反射板２２０をさらに備える。反射板２２０は高い反射率を有する材料により形成され、ケース２０に固定され、反射境界面２１２のおおよそ全部を覆う。なお、導光板２１０と反射板２２０との結合に関する形態は任意の選択事項であり、導光板２１０が反射板２２０に固定される形態、または、導光板２１０が反射板２２０に固定されない形態が選択される。
【００５０】
実施の形態３の吸込具１０によれば、実施の形態２の吸込具１０により得られる（１）〜（１３）の効果に加えて、さらに以下の効果が得られる。
（１４）照明ユニット１００は反射板２２０を備える。この構成によれば、導光板２１０の反射境界面２１２から導光板２１０の背面側に光が透過することが抑えられる。このため、光源１１０から導光板２１０に入射した光が被清掃面に効率的に照射される。
【００５１】
（実施の形態４）
図４は実施の形態４の吸込具１０における内部の平面図である。実施の形態４の吸込具１０は実施の形態３に明示されていない以下の構成をさらに備える。実施の形態４の説明において実施の形態３と同じ符号が付された要素は、実施の形態３における対応する要素と同様または類似の機能を備える。
【００５２】
照明ユニット１００は導光板２１０の透過境界面２１３側に配置される透明カバー２３０をさらに備える。透明カバー２３０はケース２０の窓２８に嵌め込まれ、ケース２０に固定され、導光板２１０の透過境界面２１３のおおよそ全部を覆う。透明カバー２３０はさらに、導光板２１０を透過した光を透明カバー２３０の短手方向において集光または拡散することにより屈折させるレンズとしての機能を備える。
【００５３】
実施の形態４の吸込具１０によれば、実施の形態３の吸込具１０により得られる（１）〜（１４）の効果に加えて、さらに以下の効果が得られる。
（１５）照明ユニット１００は透明カバー２３０を備える。この構成によれば、ケース２０が周囲の物体に衝突したとしても、その物体が導光板２１０に接触することが透明カバー２３０により妨げられる。このため、導光板２１０が損傷するおそれが低減される。
【００５４】
（１６）透明カバー２３０が窓２８に嵌め込まれる。この構成によれば、導光板２１０を透過した光が透明カバー２３０の周囲からケース２０の外部に漏れるおそれが低減され、光が被清掃面に効率的に照射される。
【００５５】
（１７）透明カバー２３０がレンズを兼ねる。この構成によれば、導光板２１０を透過した光が透明カバー２３０により集光または拡散される。このため、照明ユニット１００から被清掃面に光が効率的に照射される。また、透明カバー２３０とは別にレンズが存在する場合と比較して、照明ユニット１００がケース２０の前後方向に占める領域が広がりにくい。
【００５６】
（実施の形態５）
図５は実施の形態５の電気掃除機３００の斜視図である。電気掃除機３００は電動送風機３１１を内蔵する本体３１０、本体３１０に接続されるホース３２０、ホース３２０に接続される延長管３３０、延長管３３０に接続される補助吸込具９０、および、補助吸込具９０に接続される吸込具１０を備える。図示される吸込具１０および補助吸込具９０は、図１〜図４に模式的に示されたそれらの要素が取り得る具体的な形態の一例である。実施の形態５の説明において実施の形態４と同じ符号が付された要素は実施の形態４における対応する要素と同様または類似の機能を備える。
【００５７】
本体３１０は電源コード３１２を備え、外部電源から電源コード３１２を介して供給される電力により駆動する。本体３１０に供給される電力はさらに、ホース３２０、延長管３３０、および、補助吸込具９０に形成される給電路（図示略）を介して、または、ホース３２０および補助吸込具９０に形成される給電路（図示略）を介して吸込具１０に供給される。
【００５８】
本体３１０およびホース３２０は使用者による取り付けおよび取り外しが可能な着脱構造を備える。ホース３２０および延長管３３０は使用者による取り付けおよび取り外しが可能な着脱構造を備える。延長管３３０および補助吸込具９０は使用者による取り付けおよび取り外しが可能な着脱構造を備える。
【００５９】
電気掃除機３００によれば、本体３１０の電動送風機３１１が駆動することにより吸込具１０が被清掃面Ｐ（図３０参照）上に存在するごみを吸引し、補助吸込具９０、延長管３３０、および、ホース３２０がそのごみを本体３１０の集塵室に案内する。
【００６０】
図６は吸込具１０の斜視図である。吸込具１０はケース２０等に加えて、ペダル１４をさらに備える。ペダル１４はケース２０の後方側に配置される。ペダル１４が踏み込まれることによりペダル１４が補助吸込具９０を押し上げ、補助吸込具９０がケース２０から分離される。
【００６１】
ケース２０はケース２０の上方部分の外形を形成する上部ケース３０、ケース２０の下方部分の外形を形成する下部ケース４０、および、上部ケース３０と下部ケース４０との間の外形を形成するバンパー５０を備える。下部ケース４０およびバンパー５０は互いに結合されることにより下部アセンブリー６０（図９参照）を構成する。上部ケース３０および下部アセンブリー６０が互いに結合されることによりケース２０が構成される。
【００６２】
上部ケース３０の一例は２色成形により形成された成形品であり、上部ケース３０の前方部分の外形を形成する上部前方ケース３０Ａ、および、上部ケース３０の後方部分の外形を形成する上部後方ケース３０Ｂにより構成される。図２３に示されるとおり、上部前方ケース３０Ａは主に照明ユニット１００およびブラシハウジング２０Ａの前方部分を上方側から覆う。また、上部後方ケース３０Ｂは上部前方ケース３０Ａにより覆われない残りの部分を覆う。
【００６３】
上部前方ケース３０Ａは光の透過性が低い色を有する。下部ケース４０は１色成形され、光の透過性が低い色を有する。バンパー５０は上部ケース３０および下部ケース４０よりも軟らかい材料により１色成形され、光の透過性が低い色を有する。
【００６４】
図６に示されるとおり、下部ケース４０の底壁４１はケース２０の底壁２１を構成する。上部ケース３０の前壁３２、下部ケース４０の前壁４２、および、バンパー５０の前壁５２はケース２０の前壁２２を構成する。上部ケース３０の側壁３３、下部ケース４０の側壁４３、および、バンパー５０の側壁５３はケース２０の側壁２３を構成する。上部ケース３０の後壁３４および下部ケース４０の後壁４４はケース２０の後壁２４を構成する。上部ケース３０の上壁３１はケース２０の上壁２５を構成する。
【００６５】
上部ケース３０の前壁３２およびバンパー５０の前壁５２には、その長手方向に延長する切り欠きが形成される。ケース２０の窓２８は前壁３２の切り欠きおよび前壁５２の切り欠きにより構成される。バンパー５０の前壁５２は窓２８の下面を構成するガイド面５７を備える。ガイド面５７は吸込具１０の後方から前方に向けて下方に傾斜する面であり、照明ユニット１００から出力される光をケース２０の前方の下方に案内する。
【００６６】
図７は吸込具１０の上面図である。ケース２０の長手方向であるケース２０の幅方向は吸込具１０の幅方向と実質的に一致する。ケース２０の短手方向であるケース２０の前後方向は吸込具１０の前後方向と実質的に一致する。ケース２０の形状は吸込具１０の中心線に対して略左右対称である。
【００６７】
図８は吸込具１０の正面図である。回転ブラシ１１の一部はケース２０の底面よりも下方に飛び出て被清掃面Ｐ（図３０参照）に接触し得る。吸込具１０によれば、導光板２１０（図９参照）により光を照射する照射方式を備えることにより吸込具１０の高さが低く設定される。この高さの設定は、吸込具１０が家具の下などの狭い空間に入り込む余地を広げることに寄与する。
【００６８】
図９は分解された吸込具１０を示す。吸込具１０はケース２０等に加えて、回転ブラシ１１と電動機１２とを連結するベルト１３、および、電動機１２への電力の供給と停止とを切り替えるスイッチユニット８０をさらに備える。電動機１２は下部ケース４０に固定される。
【００６９】
照明ユニット１００は一対の光源１１０、導光板２１０、反射板２２０、および、透明カバー２３０を備え、ケース２０の収容空間２６における前壁２２（図６参照）の近傍の狭い範囲、および、前壁２２と側壁２３とにより形成される角部分の近傍に配置される。図示される光源１１０、導光板２１０、反射板２２０、および、透明カバー２３０は、図４に模式的に示されたそれらの要素が取り得る具体的な形態の一例である。導光板２１０、反射板２２０、および、透明カバー２３０は互いに組み合わせられることにより光学素子群２００を構成する。
【００７０】
図１０は光学素子群２００が取り付けられた下部アセンブリー６０の斜視図である。透明カバー２３０はケース２０の窓２８にフィットし、吸込具１０の輪郭の一部を形成する。バンパー５０は照明ユニット１００から出力される光をケース２０の前方の下方に案内するガイド面５７を備える。
【００７１】
スイッチユニット８０はリード線（図示略）により電動機１２と電気的に接続されるリミットスイッチ８１、および、リミットスイッチ８１をオンまたはオフするホイール型スイッチ８２（図２２参照）を備える。スイッチユニット８０はさらに、ホイール型スイッチ８２を覆うスイッチカバー８３、および、ホイール型スイッチ８２に反力を与えるばね（図示略）を備える。
【００７２】
ホイール型スイッチ８２は下部ケース４０に対して回転できるように下部ケース４０により支持され、下部ケース４０の下方側に飛び出るようにばね（図示略）の反力を受ける。ホイール型スイッチ８２が被清掃面等によりスイッチカバー８３側に押し込まれているとき、リミットスイッチ８１がオンに設定され、回路基板７０から電動機１２に電流が供給される。一方、ホイール型スイッチ８２が被清掃面等と接触していないことによりスイッチカバー８３側に押し込まれていないとき、リミットスイッチ８１がオフに設定され、電動機１２に電流が供給されない。
【００７３】
図１１は図９の下部アセンブリー６０の平面図である。
下部ケース４０は底壁４１から立ち上がる複数のリブ４５、および、反射板２２０の一部が嵌め込まれる複数の要素嵌合凹部４６をさらに備える。バンパー５０は底壁５１から立ち上がる複数のリブ５４をさらに備える。下部ケース４０およびバンパー５０は透明カバー２３０の一部が嵌め込まれる複数の要素嵌合凹部５６を形成する。下部アセンブリー６０はリブ４５およびリブ５４の一方または両方により区画される複数の機能的領域を備える。
【００７４】
複数の機能的領域は、補助吸込具９０が配置される吸込具配置部６１、ペダル１４のレバー（図示略）が配置されるレバー配置部６２、および、回路基板７０が配置される基板配置部６３を含む。複数の機能的領域はさらに、スイッチユニット８０が配置されるスイッチ配置部６４、電動機１２が配置される電動機配置部６５、および、ブラシハウジング２０Ａの上部の空間を形成する上側吸込部６６を含む。複数の機能的領域はさらに、右側の光源１１０が配置される右側の光源配置部６７、左側の光源１１０が配置される左側の光源配置部６７、および、光学素子群２００が配置される光学素子配置部６８を含む。
【００７５】
下部ケース４０はブラシハウジング２０Ａ上に形成される上部吸込口４７をさらに備える。図２５に示されるとおり、上部吸込口４７は、上側吸込部６６を形成するリブ４５に囲まれた空間（以下では「上側吸込部６６の空間」）とブラシハウジング２０Ａの内側に形成される空間とを繋げる。
【００７６】
上部ケース３０は上部前方ケース３０Ａと上部後方ケース３０Ｂとの境界に形成される上部吸込口３５をさらに備える。上部吸込口３５は、上部ケース３０の上壁３１の外側の空間とケース２０の収容空間２６における上壁３１の下方側の空間とを繋げる。この空間は上側吸込部６６の空間と繋がっている。
【００７７】
このため、図２２に示される吸引通路２９に負圧が作用することにより、上側吸込部６６の空間の空気が上部吸込口４７を介してブラシハウジング２０Ａ内に吸引される。また、上壁３１の外側の空気が上部ケース３０の上部吸込口３５を介して吸引通路２９に吸引される。このため、ケース２０の前方の上部に存在する空気中のごみがケース２０内に吸引される。
【００７８】
図１１に示されるとおり、上側吸込部６６は下部ケース４０の前方部分に形成される。このため、下部アセンブリー６０の前壁５２と上側吸込部６６との間に形成される領域は狭い。一例によれば、ケース２０の前後方向におけるその領域の大きさは砲弾型ＬＥＤを配置するために必要な領域よりも狭い。
【００７９】
図１７は光学素子群２００が配置されていない状態の光源１１０周辺の平面図である。図１９はその斜視図である。光源基板１１１はバンパー５０のリブ５４に嵌め込まれる。光源基板１１１の上方部分および下方部分には段差が形成される。上方部分の段差に上部ケース３０のリブ（図示略）が突き当てられ、下方部分の段差にバンパー５０のリブ（図示略）が突き当てられることにより、ケース２０に対する光源基板１１１がより確実に保持される。ケース２０の幅方向における光源基板１１１の外側には空間が形成される。この空間は、ケース２０の側壁２３に衝撃的な力が加えられたときにケース２０の側壁２３が光源基板１１１と接触するおそれを低減することに寄与する。
【００８０】
図１１に示されるとおり、吸込具１０は回路基板７０と各光源１１０の光源基板１１１とを接続する複数のリード線７１をさらに備える。一方のリード線７１は上側吸込部６６を形成するリブ４５と、そのリブ４５よりも後方側に形成される別のリブ４５との間に形成される狭い通路に配線され、左側の光源基板１１１に接続される。別のリード線７１は右側の光源基板１１１に接続される。
【００８１】
図１７に示されるとおり、下部ケース４０に形成される複数のリブ４５の１つは、吸込具１０の幅方向に所定の間隔をおいて光源基板１１１と対向するリブ４５を含む。このため、各リード線７１における光源基板１１１との接続部分あたりに一定の長さを有する直線形状の部分が形成され、この直線形状の部分がリブ４５に嵌め込まれる。この配線形態は、ケース２０に衝撃的な力が加えられても光源基板１１１とリード線７１との接続を維持することに寄与する。
【００８２】
光源配置部６７は主にバンパー５０の底壁５１、前壁５２、側壁５３、リブ５４、および、下部ケース４０のリブ４５により構成される。上部ケース３０（図６参照）および下部アセンブリー６０が組み合わせられた状態のケース２０によれば、図２４に示されるとおり、光源配置部６７の上部が上部ケース３０の上壁３１により覆われる。
【００８３】
図１８は光学素子群２００が配置された状態の光源１１０周辺の平面図である。図２０はその斜視図である。下部アセンブリー６０に配置された光学素子群２００は光源配置部６７の周囲の一部を取り囲む。このため、上部ケース３０の上壁３１（図２４参照）、バンパー５０の底壁５１、前壁５２、側壁５３、リブ５４、下部ケース４０のリブ４５、および、光学素子群２００により光源配置部６７がおおよそ閉塞される。この構造はケース２０の外側のごみ等が光源配置部６７に侵入することを妨げることに寄与する。
【００８４】
図１１に示されるとおり、光源配置部６７は吸込具１０の幅方向においてブラシハウジング２０Ａよりも外側に形成される。このため、図２１に示されるとおり、光源１１０は吸込具１０の幅方向におい回転ブラシ１１の毛が存在する部分よりも外側に配置される。
【００８５】
吸込具１０によれば、回転ブラシ１１の毛が配置されている部分よりも外側に光源１１０が配置され、回転ブラシ１１の上方に光源１１０が配置されない。このため、ブラシハウジング２０Ａの天井部分から上部ケース３０の上壁３１までの厚さを厚くすることなく、ブラシハウジング２０Ａの天井部分の高さを高く設定できる。また、吸込具１０の高さを低く設定できる。この構成によれば、例えば吸込具１０の意匠性を高める効果、および、吸込具１０が家具の下などの狭い部分に入りやすくなる効果の一方または両方が得られる。
【００８６】
図１２は分離された光学素子群２００の正面側の斜視図である。図１３は分離された光学素子群２００の背面側の斜視図である。図１４は結合された導光板２１０および反射板２２０の左側部分の正面図である。図１５は結合された導光板２１０および反射板２２０の中間部分の正面図である。図１６は結合された導光板２１０および反射板２２０の右側部分の正面図である。なお、導光板２１０の短手方向は入射境界面２１１に沿う方向であり、反射板２２０および透明カバー２３０の短手方向は導光板２１０の短手方向と実質的に同じ方向である。
【００８７】
導光板２１０を構成する材料は例えばアクリル製の透明プラスチック、ポリカーボネート樹脂、または、シクロオレフィン系樹脂である。図１２に示されるとおり、導光板２１０は複数の機能的部分を含む。一例によれば複数の機能的部分は、導光板２１０の主要な部分を構成する導光部２１６、ならびに、導光部２１６から突き出る複数の突起２１７を含む。
【００８８】
導光部２１６は直方体形状の物体であり、一対の入射境界面２１１、反射境界面２１２、透過境界面２１３、上面２１４、および、下面２１５を備える。複数の突起２１７の一部は上面２１４から導光板２１０の短手方向の外側に突き出る。複数の突起２１７の別の一部は下面２１５から導光板２１０の短手方向の外側に突き出る。
【００８９】
反射板２２０を構成する材料の一例は白色樹脂である。図１２および図１３に示されるとおり、反射板２２０は複数の機能的部分を含む。一例によれば複数の機能的部分は、反射板２２０の主要な部分を構成する遮光部２２１、遮光部２２１の上部および下部のそれぞれから突き出る複数の収容部２２２、ならびに、遮光部２２１の端部のそれぞれに形成される傘２２３を含む。図１３に示されるとおり、複数の機能的部分はさらに、遮光部２２１の背面から突き出る複数のスペーサー２２４、および、遮光部２２１の端部の背面から突き出る一対の嵌合リブ２２５を含む。
【００９０】
遮光部２２１の短手方向に沿う断面形状は略Ｕ字状である。この形状は、導光板２１０の反射境界面２１２、上面２１４、および、下面２１５を覆うために設定される。傘２２３は遮光部２２１よりも上面側および背面側に突き出て形成される。傘２２３の短手方向に沿う断面形状は略Ｌ字状である。この形状は図１４および図１６に示されるとおりチップＬＥＤ１１２の一部を覆うために設定される。
【００９１】
図１３に示されるとおり、透明カバー２３０は複数の機能的部分を含む。一例によれば複数の機能的部分は、透明カバー２３０の主要な部分を構成する透過部２３１、透過部２３１の下端から下方側に突出する複数の脚２３２、および、透過部２３１の上端から後方側に突出する複数の腕２３３を含む。透過部２３１は透明カバー２３０の短手方向において光を集光する凸レンズである。
【００９２】
複数の機能的部分はさらに、隣り合う腕２３３の間に形成される複数の切欠２３４、透過部２３１の背面の上部から突き出る上側支持部２３５、および、透過部２３１の背面の下部から突き出る下側支持部２３６を含む。上側支持部２３５および下側支持部２３６は透明カバー２３０の長手方向の全体にわたって形成される。上側支持部２３５および下側支持部２３６において導光板２１０の透過境界面２１３と対向する面は平面であり、長手方向に延長する。上側支持部２３５および下側支持部２３６は下部ケース４０（図２６参照）との間に導光板２１０および反射板２２０を挟み込む。
【００９３】
光学素子群２００の各要素は次のとおり結合される。図１４〜図１６に示されるとおり、導光板２１０の導光部２１６が反射板２２０の遮光部２２１に配置され、導光板２１０の突起２１７が反射板２２０の収容部２２２に配置されることにより、導光板２１０および反射板２２０が結合される。このため、図１３に示される反射境界面２１２の全体が遮光部２２１により覆われる。一方、導光板２１０の入射境界面２１１および透過境界面２１３は反射板２２０により覆われない。
【００９４】
上記結合によれば、図１４〜図１６に示されるとおり、導光板２１０の上面２１４および下面２１５がそれぞれ遮光部２２１の内面と接触する。このため、反射板２２０の短手方向において反射板２２０に対する導光板２１０の位置が決められる。
【００９５】
また、上記結合によれば、各突起２１７における短手方向に沿う側面が収容部２２２の内面と接触する。このため、反射板２２０の長手方向において反射板２２０に対する導光板２１０の位置が決められる。
【００９６】
反射板２２０の長手方向における導光板２１０の位置、および、反射板２２０の短手方向における導光板２１０の位置が上記のとおり決められた状態は、導光板２１０が反射板２２０に固定された状態の一例である。
【００９７】
結合された導光板２１０および反射板２２０が、図１３に示される透明カバー２３０の背面に配置されて透明カバー２３０と結合されることにより、光学素子群２００の各要素が結合される。結合された光学素子群２００の各部位は以下の関係を有する。
【００９８】
反射板２２０の上側の各収容部２２２は透明カバー２３０の切欠２３４に嵌め込まれる。このため、光学素子群２００の長手方向における透明カバー２３０に対する反射板２２０の位置が決められる。また、透明カバー２３０の上側支持部２３５および下側支持部２３６はそれぞれ導光板２１０および反射板２２０を支持する。この関係により、透明カバー２３０に対する導光板２１０および反射板２２０の前方の位置が決められる。
【００９９】
結合された導光板２１０および反射板２２０が上側支持部２３５および下側支持部２３６により長手方向において支持されていることにより、ケース２０の前壁２２（図６参照）に加えられる衝撃的な力が分散される。このため、導光板２１０および反射板２２０に強い力が伝達されにくい。
【０１００】
透明カバー２３０の腕２３３は反射板２２０を上方から覆い、遮光部２２１の上面と接触する。このため、光学素子群２００の短手方向の一方における透明カバー２３０に対する反射板２２０の位置が決められる。
【０１０１】
透明カバー２３０の長手方向における反射板２２０の位置、および、透明カバー２３０の短手方向の一方における反射板２２０の位置が上記のとおり決められた状態は、反射板２２０および導光板２１０と透明カバー２３０とが結合された状態の一例である。
【０１０２】
結合された光学素子群２００は次のとおり下部アセンブリー６０と結合される。図１３に示される反射板２２０の下側の各収容部２２２は、図１１に示される下部ケース４０の各要素嵌合凹部４６に嵌め込まれる。図１３に示される透明カバー２３０の各脚２３２は図１１に示される下部ケース４０およびバンパー５０により形成される要素嵌合凹部５６に嵌め込まれる。収容部２２２および脚２３２がそれぞれ対応する凹部に嵌め込まれた状態は、結合された光学素子群２００が下部アセンブリー６０に固定された状態の一例である。
【０１０３】
図２５および図２６は下部アセンブリー６０および光学素子群２００の関係を示す。
図２５または図２６に示されるとおり、導光板２１０はケース２０の前壁２２の近傍に配置される。このため、導光板２１０と被清掃面Ｐとの距離が短くなる。このため、被清掃面Ｐに照射される光の照度が高くなる。
【０１０４】
導光板２１０に関する上記配置形態は、例えばケース２０の前後方向における導光板２１０の位置が前壁２２と回転ブラシ１１の芯との間であること、または、ケース２０の前後方向における導光板２１０と前壁２２との距離が所定の距離以下であることにより規定できる。所定の距離は例えば回転ブラシ１１の半径または直径である。
【０１０５】
図２５に示されるとおり、反射板２２０のスペーサー２２４が下部ケース４０のリブ４５と接触し、透明カバー２３０の上側支持部２３５および下側支持部２３６がそれぞれ導光板２１０および反射板２２０を支持する。このため、反射板２２０および導光板２１０がケース２０の前方側に倒れ込むように傾斜した姿勢に保持される。このため、導光板２１０の反射境界面２１２および透過境界面２１３がケース２０の前方側に倒れ込むように傾斜した姿勢に保持される。
【０１０６】
図２６に示されるとおり、透明カバー２３０の腕２３３はブラシハウジング２０Ａの上部との間に反射板２２０および導光板２１０を挟み込む。このため、ケース２０の高さ方向における下部アセンブリー６０に対する反射板２２０および導光板２１０の位置が決められる。
【０１０７】
透明カバー２３０の腕２３３の先端は、ブラシハウジング２０Ａから立ち上がるリブ４５に突き当てられる。この関係はケース２０に前方側から衝撃的な力が加えられたときに、導光板２１０および反射板２２０に伝達される力を弱めることに寄与する。
【０１０８】
上部ケース３０は上壁３１における前壁３２付近の内面から下方に突き出る複数の支持リブ３６をさらに備える。上部ケース３０が下部アセンブリー６０に結合されることにより、上部ケース３０の前壁３２とリブ４５とがその間に腕２３３を挟み込み、さらに支持リブ３６が腕２３３を上方から押さえる。このため、ケース２０に対する光学素子群２００の位置がより確実に保持される。
【０１０９】
透明カバー２３０の上側支持部２３５が導光板２１０および反射板２２０の上方部分を支持し、下側支持部２３６が導光板２１０および反射板２２０の下方部分を支持し、透過境界面２１３の広い範囲が透過部２３１の背面と隙間を介して対向する。このため、ケース２０の前壁２２に衝撃的な力が加えられたときに、導光板２１０の透過境界面２１３の中央を含む主要な部分に強い力が伝達されにくい。
【０１１０】
透明カバー２３０の透過部２３１の全体がバンパー５０の前壁５２よりもケース２０の内側に配置される。この配置はケース２０が周囲の物体に衝突したとしても、その物体が透過部２３１に接触することを妨げることに寄与する。さらに、透過部２３１のおおよそ全体が上部ケース３０の前壁３２よりもケース２０の内側に配置される。この配置も上記物体が透過部２３１に接触することを妨げることに寄与する。
【０１１１】
図１７および図１９に示されるとおり、バンパー５０のリブ５４の１つはリブ嵌合凹部５５を備える。リブ嵌合凹部５５はケース２０の前方側に開口する。図１８および図２０に示されるとおり、反射板２２０の嵌合リブ２２５はリブ嵌合凹部５５に嵌め込まれる。この要素の結合はケース２０に対する光学素子群２００の位置をより確実に保持することに寄与する。このため、ケース２０に衝撃的な力が加えられても光学素子群２００がケース２０に対して一層移動しにくい。このため、導光板２１０の入射境界面２１１とチップＬＥＤ１１２との位置関係がずれにくい。また、光学素子群２００が光源１１０に接触するおそれが一層低減される。
【０１１２】
光学素子群２００が下部アセンブリー６０に取り付けられた状態（図１０参照）によれば、図１４および図１６に示されるとおり、導光板２１０の入射境界面２１１とチップＬＥＤ１１２との間に入射隙間１２０が形成される。さらに、傘２２３の端面と光源基板１１１との間に入射隙間１２０よりも狭い隙間である反射隙間１３０が形成される。一例によれば、入射隙間１２０の距離は約０．５ｍｍであり、反射隙間１３０の距離は約０．３ｍｍである。
【０１１３】
このため、ケース２０に衝撃的な力が加えられて導光板２１０が光源１１０に接近する方向に移動したとしても、導光板２１０の入射境界面２１１がチップＬＥＤ１１２と接触する前に傘２２３が光源基板１１１に接触する。このため、導光板２１０の入射境界面２１１がチップＬＥＤ１１２に接触するおそれが低減される。
【０１１４】
図９に示されるとおり、光源１１０が下部アセンブリー６０に組み付けられた後に反射板２２０が下部アセンブリー６０の上方側から下部アセンブリー６０に組み付けられる。このため、傘２２３の形状はその光源１１０と干渉しない形状に設定される。傘２２３はチップＬＥＤ１１２から出力された光が導光板２１０の入射境界面２１１以外の部分に進行することを抑制し、入射境界面２１１への光の入射効率を高めることに寄与する。
【０１１５】
図２７は光源１１０、導光板２１０、および、透明カバー２３０のモデルを示す。チップＬＥＤ１１２および入射境界面２１１の位置関係は、例えばチップＬＥＤ１１２の出力面の中心を通過する法線と入射境界面２１１の中心を通過する法線とが実質的に一致するように設定される。
【０１１６】
反射境界面２１２はプリズムが形成される反射領域Ｒ１、および、プリズムが形成されない一対の透過領域Ｒ２を備える。各透過領域Ｒ２は入射境界面２１１から長手方向の所定位置までにわたり形成される。反射領域Ｒ１は一方の透過領域Ｒ２と他方の透過領域Ｒ２との間に形成される。透過領域Ｒ２は主に次の作用を得ることを意図して形成される。
【０１１７】
導光板２１０が取り得る別の形態によれば、反射境界面２１２の全体が反射領域Ｒ１に設定される。一方、チップＬＥＤ１１２の近傍の領域では光の輝度が高い。このため、上記別の形態によれば、輝度が高い光が反射境界面２１２により反射されることがある。この光が使用者に視認される場合、使用者が強い眩しさを感じるおそれがある。そこで、実施の形態５の導光板２１０は透過領域Ｒ２を形成することにより、チップＬＥＤ１１２の近傍における光の反射の程度を上記別の形態よりも弱めている。
【０１１８】
一例によれば、プリズムは多数のＶ溝により構成される。図示されるＶ溝の数は一例である。Ｖ溝は導光板２１０の長手方向の中心を通過する中心線に対して左右対称に形成される。プリズムのパターンは、吸込具１０の前後方向および傾斜方向のそれぞれに効率的に光が反射されるように設定され、さらに反射境界面２１２により反射された光に所定の成分が含まれるように設定される。
【０１１９】
所定の成分の一例は、ケース２０の平面視においてケース２０の前後方向に沿って進行する成分、および、ケース２０の平面視においてケースの前後方向に対して斜めに進行する成分を含む。斜めに進行する成分は透過境界面２１３の幅方向の中心よりも右側の部分を透過する成分、および、透過境界面２１３の幅方向の中心よりも左側の部分を透過する成分を含む。これらの成分は透過境界面２１３を透過した後にケース２０の前壁２２の前方側において交差する。なお、傾斜方向の一例は前後方向に対して約４５°の角度を持つ方向である。また、プリズムのパターンを決める主な因子はプリズムの角度、深さ、および、ピッチである。
【０１２０】
Ｖ溝の深さは、入射境界面２１１側から導光板２１０の長手方向の中心に向かうにつれて次第に深くなる。これは、導光板２１０の長手方向の中心側ほど光が到達しにくいため、中心側における光の反射の程度を相対的に強めることを意図している。このパターン設計は、吸込具１０の長手方向における光のむらを抑えることに寄与する。導光板２１０の長手方向におけるＶ溝の深さの変化は滑らかであることが好ましい。
【０１２１】
図２５および図２６は光学素子群２００およびその周辺の拡大構造を示す。
照明ユニット１００により被清掃面Ｐに形成される光の照射範囲（以下では「ユニット照射範囲」）は種々の要因により決められる。窓２８と光学素子群２００との関係はそのうちの主要な１つに該当する。一例によれば、図示される各法線および線分との関係に基づいて以下のとおり窓２８と光学素子群２００との関係が規定される。
【０１２２】
法線ＮＸは導光部２１６の中心を通過する透過境界面２１３の法線である。法線ＮＴは透過境界面２１３と上面２１４とにより形成される角を通過する透過境界面２１３の法線である。法線ＮＢは透過境界面２１３と下面２１５とにより形成される角を通過する透過境界面２１３の法線である。線分ＳＡは透過境界面２１３と下面２１５とにより形成される角を基点に規定される線分である。
【０１２３】
上部ケース３０の前壁３２の縁は法線ＮＴよりも上方側に存在する。バンパー５０のガイド面５７は法線ＮＢよりも下方側に存在する。法線ＮＸと線分ＳＡとのなす角ＴＡ（図３０参照）は、導光部２１６の指向特性が所定の範囲に含まれる角度である。図示される例によれば、なす角ＴＡは約２０°である。
【０１２４】
透明カバー２３０の透過部２３１は法線ＮＴと法線ＮＢとの間の領域、および、なす角ＴＡに対応する領域の双方を包括する形状を有する。この形状の設定は導光板２１０の透過境界面２１３を透過した光の進行が窓２８により妨げられるおそれを低減し、ケース２０の前壁２２の前方側における広い範囲に光を到達させることに寄与する。
【０１２５】
図２８は吸込具１０の平面視における光の照射範囲の一例を示す。図２９は吸込具１０の正面視における光の照射範囲の一例を示す。図３０は吸込具１０の側面視における光の照射範囲の一例を示す。各図に示される光の照射範囲は吸込具１０の各要素の諸元が次のとおり設定される場合の一例である。
【０１２６】
ケース２０の幅は約２３０ｍｍである。導光部２１６の長手方向の寸法は約２００ｍｍである。ケース２０の幅に対する導光板２１０の長手方向の寸法は約８５％である。導光部２１６の短手方向の寸法は約５ｍｍである。導光部２１６の厚さは約２ｍｍである。
【０１２７】
透明カバー２３０における透過部２３１の長手方向の長さは約１９６ｍｍである。この寸法の設定は導光板２１０の長さよりも短い範囲において、できるだけ透過部２３１の長さを長く設定することを意図している。
【０１２８】
導光板２１０の透過領域Ｒ２の形成範囲（図２７参照）は約５ｍｍである。チップＬＥＤ１１２の幅は約１．４ｍである。チップＬＥＤ１１２の高さは約３ｍｍである。なお、各寸法は一例であり各要素が取り得る構造を制限することを意図していない。
【０１２９】
チップＬＥＤ１１２の特性の一例によれば、約６０ｍＡの順電流がチップＬＥＤ１１２に供給されるときの光束が約４３．１ｌｍである。回路基板７０（図９参照）はチップＬＥＤ１１２に一定の電流を供給する。その一例は約２５ｍＡである。
【０１３０】
照明ユニット１００は被清掃面Ｐ（図２８〜図３０参照）上に略台形状のユニット照射範囲を形成する。このため、そのユニット照射範囲は次の４つの境界を有する。１つ目の境界はユニット照射範囲における前方の境界（以下では「前方境界」）である。２つ目の境界はユニット照射範囲における後方の境界（以下では「後方境界」）である。３つ目および４つ目の境界はユニット照射範囲における右側および左側の境界（以下ではそれぞれ「側方境界」）である。
【０１３１】
前方境界の位置に関する支配的な因子は例えば次の２つの因子である。１つ目はチップＬＥＤ１１２から出力される光の強さである。２つ目は図３０に示される透過境界面２１３の法線ＮＸと被清掃面Ｐとのなす角ＴＰ、および、導光板２１０の中心の高さ（以下では「中心高さＨＣ」）である。中心高さＨＣは被清掃面Ｐから導光板２１０の中心までの距離である。照明ユニット１００によれば、前壁２２の最先端と前方境界との距離ＬＦが所定の範囲に含まれるようになす角ＴＰおよび中心高さＨＣが設定される。
【０１３２】
所定の範囲は例えば９０ｍｍ〜１１０ｍｍである。図示される例によれば、なす角ＴＰが約１７．８°に設定され、中心高さＨＣが３１．９ｍｍに設定され、距離ＬＦが９３．２ｍｍに設定される。この距離の設定はケース２０の前壁２２の前方側におけるより遠方に存在する被清掃面Ｐまで光を到達させることに寄与する。
【０１３３】
後方境界の位置に関する支配的な要因はバンパー５０の前壁５２に形成されるガイド面５７の傾斜角度である。ガイド面５７の傾斜角度はガイド面５７を通過して法線ＮＸと交差する線分である線分ＳＢと法線ＮＸとのなす角ＴＢにより示される。照明ユニット１００によれば、前壁２２の最先端と後方境界との距離ＬＲが所定の範囲に含まれるようになす角ＴＢが設定される。
【０１３４】
所定の範囲は例えば８ｍｍ〜１８ｍｍである。図示される例によれば、法線ＮＸと線分ＳＢとのなす角が約４２．２°に設定され、距離ＬＲが約１３．１ｍｍに設定される。この距離の設定はケース２０の前壁２２の近傍に存在する被清掃面Ｐに光を照射することに寄与する。
【０１３５】
吸込具１０は例えば次のように動作する。
図１０に示される回路基板７０が光源基板１１１に電流を供給することによりチップＬＥＤ１１２が光を出力する。図２７に示されるとおり、チップＬＥＤ１１２から出力された光は導光板２１０の入射境界面２１１から導光板２１０の内部に入射する。チップＬＥＤ１１２から出力されて入射境界面２１１とは別の方向に進行した光の一部は反射板２２０の傘２２３（図１４および図１６参照）により反射され、入射境界面２１１から導光板２１０の内部に入射する。
【０１３６】
導光板２１０の内部に入射した光は直接的に透過境界面２１３を透過する、または、反射境界面２１２に反射されて透過境界面２１３を透過する。透過境界面２１３を透過した光は透明カバー２３０の透過部２３１により集光されてから被清掃面Ｐに到達する。このため、被清掃面Ｐに略台形状のユニット照射範囲が形成され、被清掃面Ｐ上に存在するごみを視認しやすい環境が使用者に提供される。
【０１３７】
実施の形態５の吸込具１０によれば、実施の形態４の吸込具１０により得られる（１）〜（１７）の効果に加えて、以下の効果がさらに得られる。
（１８）照明ユニット１００は反射板２２０の傘２２３によりチップＬＥＤ１１２を覆う。この構成によれば、チップＬＥＤ１１２から出力されて導光板２１０の入射境界面２１１以外の部分に向けて進行する光の一部または全部が傘２２３により反射される。このため、入射境界面２１１に入射する光の量が増加し、照明ユニット１００から被清掃面Ｐに照射される光の量が増加する。このため、使用者によるごみの視認性が向上する。
【０１３８】
（１９）導光板２１０は反射境界面２１２に透過領域Ｒ２を有する。この構成によれば、チップＬＥＤ１１２の近傍における光の反射の程度が弱められるため、使用者に強い眩しさを感じさせるおそれが低減される。
【０１３９】
（２０）導光板２１０の長手方向の端部がケース２０の前壁２２により覆われる。この構成によれば、チップＬＥＤ１１２の近傍の光がケース２０の前方側に進行することが前壁２２により妨げられる。このため、使用者に強い眩しさを感じさせるおそれが低減される。
【０１４０】
（２１）導光板２１０は反射境界面２１２にプリズムを備える。この構成によれば、ケース２０の幅に対する導光板２１０の長さを短く設定してもプリズムのパターン設計によりユニット照射範囲の幅を広げることができる。このため、被清掃面Ｐ上に略台形状のユニット照射範囲を形成できる。また、ケース２０の窓２８および導光板２１０の長手方向の長さの設定に関する自由度が高められる。
【０１４１】
（２２）反射境界面２１２のプリズムを構成するＶ溝の深さが、導光板２１０の長手方向の端部から中心側に向けて次第に深くなる。この構成によれば、相対的に光が到達しにくい導光板２１０の長手方向の中心側においてプリズムが強く光を反射するため、導光板２１０の長手方向において光のむらが生じにくい。
【０１４２】
（２３）導光板２１０のプリズムは、吸込具１０の幅方向の中心よりも左側において反射される光と右側において反射される光とがケース２０の前方において幅方向の中心あたりで交差するようにパターン設計される。この構成によれば、使用者の視点が集中しやすい領域がより明るくなり、さらに左右からの光の照射によりごみの影が多数形成されるため、使用者によるごみの視認性が一層向上する。
【０１４３】
（２４）反射板２２０の収容部２２２が下部ケース４０の要素嵌合凹部４６に嵌め込まれる。この構成によれば、ケース２０の側壁２３に衝撃的な力が加えられたとしても、反射板２２０が下部ケース４０に対してその幅方向に移動しにくい。このため、反射板２２０が光源基板１１１に接触するおそれが低減される。
【０１４４】
（２５）導光板２１０の突起２１７が反射板２２０の収容部２２２に嵌め込まれる。この構成によれば、ケース２０の側壁２３に衝撃的な力が加えられたとしても、導光板２１０が反射板２２０に対して長手方向に移動しにくい。このため、導光板２１０がチップＬＥＤ１１２に接触するおそれが低減される。
【０１４５】
（２６）透明カバー２３０がレンズを兼ねる。この構成によれば、導光板２１０により広い範囲に拡散される光が透明カバー２３０により集光されるため、被清掃面Ｐに照射される光の量が多くなる。
【０１４６】
（２７）上部ケース３０が２色成形により形成され、上部前方ケース３０Ａが光の透過性が低い色を有する。この構成によれば、光源１１０から出力される光または導光板２１０を透過した光が上部ケース３０を透過しにくい。このため、照明ユニット１００から被清掃面Ｐに光が効率的に照射される。さらに、上部ケース３０および下部ケース４０の少なくとも一方がぼんやり光る状態が形成されることが抑えられ、美的な外観が得られやすい。
【０１４７】
（２８）バンパー５０が光の透過性が低い色を有する。この構成によれば、光源１１０から出力される光がバンパー５０を透過しにくい。このため、照明ユニット１００から被清掃面Ｐに光が効率的に照射される。さらに、上部ケース３０および下部ケース４０の少なくとも一方がぼんやり光る状態が形成されることが抑えられ、美的な外観が得られやすい。
【０１４８】
（２９）下部ケース４０が光の透過性が低い色を有する。この構成によれば、光源１１０から出力される光が下部ケース４０を透過しにくい。このため、照明ユニット１００から被清掃面Ｐに光が効率的に照射される。さらに、上部ケース３０および下部ケース４０の少なくとも一方がぼんやり光る状態が形成されることが抑えられ、美的な外観が得られやすい。
【０１４９】
（３０）透明カバー２３０の透過部２３１が上部ケース３０の前壁３２およびバンパー５０の前壁５２よりもケース２０の内側に配置される。この構成によれば、ケース２０の前壁２２が周囲の物体と衝突したときに、透明カバー２３０がその物体と衝突するおそれが低減される。このため、透明カバー２３０および導光板２１０が損傷しにくい。また、透明カバー２３０が損傷しにくいことにより透明カバー２３０の透明性が低下しにくい。このため、透明カバー２３０の傷により照度が低下するおそれが低減される。
【０１５０】
（３１）透明カバー２３０の脚２３２がバンパー５０の要素嵌合凹部５６に嵌め込まれる。また、腕２３３の先端が下部ケース４０のリブ４５に突き当てられる。また、導光板２１０および反射板２２０が透明カバー２３０の背面側に配置される。この構成によれば、ケース２０の前壁２２に衝撃的な力が加えられたとき、脚２３２および要素嵌合凹部５６、ならびに、腕２３３およびリブ４５がその力を受けるため、導光板２１０および反射板２２０に力が伝達されにくい。このため、導光板２１０および反射板２２０が損傷するおそれが低減される。
【０１５１】
（３２）透明カバー２３０の上側支持部２３５が導光板２１０の上方部分を支持し、下側支持部２３６が導光板２１０の下方部分を支持する。この構成によれば、ケース２０の前壁２２に衝撃的な力が加えられたとしても、その力が上側支持部２３５および下側支持部２３６により導光板２１０の長手方向に分散される。また、透過部２３１が透過境界面２１３に接触しにくい。このため、導光板２１０の透過境界面２１３の中央を含む主要な部分が損傷するおそれが低減される。すなわち、照明ユニット１００の主要な機能の１つが損なわれるおそれが低減される。
【０１５２】
（３３）特許文献１の吸込具はケースの幅方向の中心あたりに光源が存在しない。このため、ケースの側壁付近に配置される一対の光源の光軸を細かく調整することにより、ケースの幅方向の中心あたりに照射される光の量を確保している。一方、実施の形態５の吸込具１０はケース２０の幅方向の中心を含めた広い範囲にわたって配置される導光板２１０を備える。このため、特許文献１の吸込具のように光源の光軸を細かく調整しなくとも、ケース２０の幅方向における広い領域にわたって光が照射される量を確保できる。このため、光源の配置に関する設計が簡素化される。
【０１５３】
（３４）電気掃除機３００は吸込具１０を備える。電気掃除機３００の使用者は吸込具１０により被清掃面Ｐに光を照射しながら被清掃面を清掃できる。このため、電気掃除機３００は掃除しやすい環境を使用者に提供できる。
【０１５４】
（変形例）
各実施の形態に関する説明は本発明に従う電気掃除機およびその吸込具が取り得る形態の例示であり、その形態を制限することを意図していない。本発明に従う電気掃除機およびその吸込具は各実施の形態以外に例えば以下に示される各実施の形態の変形例、および、相互に矛盾しない少なくとも２つの変形例が組み合わせられた形態を取り得る。
【０１５５】
・変形例のケース２０によれば、窓２８を構成する前壁３２の縁が実質的に法線ＮＴ上に設定される。
・変形例のケース２０によれば、窓２８を構成する前壁５２の縁が法線ＮＢと実質的に同じ位置に存在する。
【０１５６】
・導光板２１０のパターン設計は任意の選択事項である。変形例の照明ユニット１００は、図２８〜図３０に示される光の照射範囲とは別の照射範囲が形成されるプリズムのパターン設計を有する。
【０１５７】
・導光板２１０の反射境界面２１２における反射領域Ｒ１および透過領域Ｒ２の形成範囲および位置は任意の選択事項である。変形例の導光板２１０によれば、反射境界面２１２の全体が反射領域Ｒ１に設定される。別の変形例の導光板２１０によれば、導光板２１０の長手方向の中心を含む所定の範囲が透過領域Ｒ２に設定される。さらに別の変形例の導光板２１０によれば、反射境界面２１２の全体が透過領域Ｒ２に設定される。この場合には、例えば反射板２２０が反射境界面２１２のプリズムの代わりを努める。なお、反射板２２０は導光板２１０と一体的に形成される場合にも反射境界面２１２のプリズムの代わりを努めることができる。
【０１５８】
・導光板２１０の配置形態は任意の選択事項である。一例によれば、導光板２１０の全体が窓２８の後方に配置される。この場合、導光板２１０の長さが窓２８の長さとおおよそ一致する。
【０１５９】
・導光板２１０の短手方向に沿う断面形状は任意の選択事項である。変形例の導光板２１０は直方体形状とは別の断面形状を有する。その一例は略半円状、略三角形状、略Ｕ字状、または、略Ｌ字状である。
【０１６０】
・ケース２０に対する導光板２１０の姿勢は任意の選択事項である。変形例の吸込具１０によれば、導光板２１０がケース２０に対して実質的に直立して配置される。
・変形例の導光板２１０によれば、反射境界面２１２がケース２０の前方側に倒れ込む姿勢を有し、透過境界面２１３が別の姿勢を有するように導光板２１０の形状が設定される。
【０１６１】
・変形例の導光板２１０によれば、透過境界面２１３がケース２０の前方側に倒れ込む姿勢を有し、反射境界面２１２が別の姿勢を有するように導光板２１０の形状が設定される。
【０１６２】
・変形例の導光板２１０はプリズムのＶ溝により光を拡散する構造に代えて拡散剤を含む。導光板２１０のさらに別の形態はＶ溝および拡散剤の双方により光を拡散する構造を備える。
【０１６３】
・変形例の吸込具１０は、反射板２２０が下部アセンブリー６０に配置されるときに光源１１０の位置を調節できる構造、または、反射板２２０が下部アセンブリー６０に配置された後に光源１１０を下部アセンブリー６０に配置できる構造を備える。この場合に、反射板２２０の傘２２３はチップＬＥＤ１１２をケース２０の前方側および下方側からさらに覆う構造を取り得る。傘２２３がその構造を持つ場合には、チップＬＥＤ１１２の周囲の全部またはおおよそ全部が傘２２３により覆われる。このため、光源１１０から出力された光が一層効率的に入射境界面２１１に入射する。
【０１６４】
・透明カバー２３０の配置形態は任意の選択事項である。変形例の吸込具１０によれば、窓２８に透明カバー２３０が嵌め込まれる形態に代えて、窓２８の後方に透明カバー２３０が配置される。
【０１６５】
・変形例の透明カバー２３０は透過部２３１の下方の背面から突き出る第２の腕をさらに備える。この透明カバー２３０の短手方向に沿う断面形状は略Ｕ字状である。第２の腕は腕２３３と同様にその先端が下部ケース４０のリブ４５に接触する。腕２３３および第２の腕はその間に導光板２１０および反射板２２０を挟み込む。この構成によれば、ケース２０の前壁２２に衝撃的な力が加えられたとき、腕２３３および第２の腕によりその力が受けられる。このため、導光板２１０に加えられる力が一層弱められ、導光板２１０が損傷しにくくなる。
【０１６６】
・透明カバー２３０に関するレンズの機能は任意の選択事項である。変形例の透明カバー２３０は凸レンズの機能を含まない。この場合、照明ユニット１００は透明カバー２３０とは別に導光板２１０の前方側にレンズを配置する形態、または、レンズを配置しない形態を取り得る。
【０１６７】
・変形例の透明カバー２３０は凸レンズの機能に代えて凹レンズの機能を備える。この場合には、導光板２１０を透過した光が凹レンズにより拡散される。このため、光の照射範囲が凹レンズにより管理され、被清掃面Ｐの広い範囲に柔らかい光が照射される。透明カバー２３０の別の形態は透明カバー２３０の正面および背面の一方が凸形状、または、透明カバー２３０の正面および背面の一方が凹形状である。透明カバー２３０のさらに別の形態は透明カバー２３０の正面および背面の一方が凸形状であり、透明カバー２３０の正面および背面の他方が凹形状である。
【０１６８】
・変形例の照明ユニット１００は実施の形態３または４の照明ユニット１００から一方の光源１１０が省略された構成を備える。
・変形例の照明ユニット１００によれば、導光板２１０がケース２０に直接的に固定される。
【０１６９】
・変形例の照明ユニット１００によれば、入射隙間１２０が形成されず、導光板２１０の入射境界面２１１とチップＬＥＤ１１２とが接触する。この構成によれば、チップＬＥＤ１１２から出力される光が導光板２１０に一層効率的に入射する。
【０１７０】
・変形例の照明ユニット１００はケース２０の幅方向において回転ブラシ１１と重なり合う位置に光源１１０を備える。
・変形例の照明ユニット１００は表面実装型のＬＥＤに代えて他の型式のＬＥＤを備える。その一例は砲弾型ＬＥＤまたは電球型ＬＥＤランプである。
【０１７１】
・変形例の照明ユニット１００はケース２０の前方側の領域に加えてさらに別の領域に光を照射する。また、別の変形例の照明ユニット１００はケース２０の前方側の領域に代えて別の領域に光を照射する。別の領域の一例はケース２０の側方側の領域、ケース２０の後方側の領域、および、ケース２０の底面側の領域の１つまたは複数である。なお、ケース２０の前方側の領域、および、上記別の領域はケース２０の周囲の一例である。
【０１７２】
・変形例の照明ユニット１００は吸込具１０とは別の要素に光源１１０を備える。その一例は補助吸込具９０である。
・変形例の照明ユニット１００は吸込具１０の幅方向に並べて配置される複数の光学素子群２００を備える。
【０１７３】
なお、上記詳細な説明は例証的であり制限的でないことを意図する。例えば、上述した各実施の形態、または、１つあるいは複数の変形例は、必要に応じて互いに組み合わせられる余地を含む。本開示の技術的特徴または主題は、特定の実施の形態の全ての特徴よりも少ない特徴に存在することがあり得る。このため、特許請求の範囲は発明の詳細な説明に組み込まれ、各請求項は個別の実施の形態として自分自身を主張する。そして、本開示の範囲は特許請求の範囲に与えられる権利、および、その均等物の全ての範囲の双方に基づいて確定される。
【０１７４】
（付記）
〔１〕本発明に従う電気掃除機の吸込具の一形態は吸込口を備えるケースと、前記ケースの周囲に光を導く導光板とを備える、電気掃除機の吸込具。
【０１７５】
従来の照明ユニットによりケースの前方の直下に適切に光を照射させるためには、砲弾型ＬＥＤをできるだけケースのうちの前方部分に配置することが求められる。一方、例えば吸込具の前壁の厚みを薄く設定するため、砲弾型ＬＥＤを回転ブラシよりも前方側に配置することが許容されない場合がある。その場合には、例えば砲弾型ＬＥＤを回転ブラシの上方側に配置し、光軸の方向および砲弾型ＬＥＤの数等を調整することにより照明ユニットによる光の照射範囲が調整される。このように、従来の吸込具によれば、光の照射範囲の調整に関して比較的大きな制約が課せられることがある。
【０１７６】
一方、本吸込具が備える光の照射方式は、被清掃面に光を出力する要素である導光板を用いた照射方式である。この照射方式によれば、被清掃面に光を出力する別の要素である砲弾型ＬＥＤを用いる照射方式と比較して、光を出力する要素が吸込具の前後方向に占める領域を狭く設定する余地が大きい。このため、本吸込具によれば、導光板を吸込具におけるより前方部分に配置する配置形態を取り入れても、吸込具を構成する他の要素の配置に対する影響が小さい、または、他の要素の配置に対する影響が実質的に生じにない。このため、本吸込具は光の照射範囲を容易に調節できる。
【０１７７】
〔２〕前記電気掃除機の吸込具の一例によれば、前記導光板が細長い形状を有し、前記ケースの幅方向に沿うように配置される、前記〔１〕に記載の電気掃除機の吸込具。
本吸込具によれば、ケースの前方における幅方向の広い範囲に光が照射される。このため、ケースの幅方向における光のむらが生じにくい。
【０１７８】
〔３〕前記電気掃除機の吸込具の一例は前記吸込口に配置される回転ブラシ、および、前記ケースの内部に形成され、前記回転ブラシを収容するブラシハウジングをさらに備え、前記導光板が前記ブラシハウジング上に配置される、前記〔２〕に記載の電気掃除機の吸込具。
【０１７９】
従来の吸込具の一例によれば、被清掃面に光を出力する要素である砲弾型ＬＥＤがブラシハウジングの上方側であってブラシハウジングから離れた位置に配置される。本吸込具によれば、この従来の吸込具と比較して、被清掃面に光を出力する要素である導光板がブラシハウジングの近傍に配置される。このため、ケースの高さを低く設定できる余地が広がる。
【０１８０】
〔４〕前記電気掃除機の吸込具の一例は光を出力する光源をさらに備え、前記導光板の長手方向の端部に形成される境界面である入射境界面と前記光源とが対向する、前記〔２〕または〔３〕に記載の電気掃除機の吸込具。
【０１８１】
本吸込具によれば、導光板よりもケースの上方側に光源が配置される場合と比較して、導光板および光源がケースの上下方向に占める領域が広がりにくい。このため、例えばケースの高さを低く設定する余地が広がる。
【０１８２】
〔５〕前記電気掃除機の吸込具の一例によれば、前記入射境界面と前記光源との間に隙間が形成される、前記〔４〕に記載の電気掃除機の吸込具。
本吸込具によれば、ケースに衝撃的な力が加えられることにより導光板がケースに対して移動したとしても導光板が光源に接触しにくい。このため、光源が破損するおそれが低減される。
【０１８３】
〔６〕前記電気掃除機の吸込具の一例によれば、前記光源が前記回転ブラシの端部よりも前記ケースの幅方向の外側に配置される、前記〔３〕を引用する前記〔４〕、または、その〔４〕を引用する前記〔５〕に記載の電気掃除機の吸込具。
【０１８４】
本吸込具によれば、ケースの高さ方向における光源の位置が回転ブラシによる制約を受けにくい。このため、ケースの高さ方向における光源および導光板の位置を低く設定する余地が広がる。
【０１８５】
〔７〕前記電気掃除機の吸込具の一例によれば、前記導光板はその背面である反射境界面により反射した光を前記導光板の正面である透過境界面を透過させて前記ケースの周囲に導く、前記〔１〕〜〔６〕のいずれかに記載の電気掃除機の吸込具。
【０１８６】
本吸込具によれば、反射境界面により反射された光がケースの周囲に導かれるため、導光板の内部を進行する光が反射されない場合と比較して、被清掃面に照射される光の量が多くなる。
【０１８７】
〔８〕前記電気掃除機の吸込具の一例によれば、前記反射境界面および前記透過境界面の少なくとも一方が前記ケースの前方側に倒れ込むように傾斜している、前記〔７〕に記載の電気掃除機の吸込具。
【０１８８】
本吸込具によれば、導光板を透過した光がおおよそケースの前方の下方に進行する。このため、被清掃面において使用者の視線が集中しやすい領域に適切に光が照射され、使用者によるごみの視認性が向上する。
【０１８９】
〔９〕前記電気掃除機の吸込具の一例は前記透過境界面と対向する透明カバーをさらに備える、前記〔７〕または〔８〕に記載の電気掃除機の吸込具。
本吸込具によれば、ケースが周囲の物体に衝突したとしても、その物体が導光板に接触することが透明カバーにより妨げられる。このため、導光板が損傷するおそれが低減される。
【０１９０】
〔１０〕前記電気掃除機の吸込具の一例によれば、前記透明カバーがレンズを兼ねている、前記〔９〕に記載の電気掃除機の吸込具。
本吸込具によれば、導光板を透過した光が透明カバーにより集光または拡散されるため、導光板から被清掃面に照射される光の範囲が安定しやすい。また、透明カバーとは別にレンズが存在する場合と比較して、照明のための要素がケースの前後方向に占める領域が広がりにくい。
【０１９１】
〔１１〕前記電気掃除機の吸込具の一例は前記反射境界面と対向する反射板をさらに備える、前記〔７〕〜〔１０〕のいずれかに記載の電気掃除機の吸込具。
本吸込具によれば、導光板の背面側に進行する光が反射板により反射され、その光が導光板の正面側に進行することがある。このため、光源から導光板に入射した光が被清掃面に効率的に照射される。
【０１９２】
〔１２〕前記電気掃除機の吸込具の一例によれば、前記反射境界面にプリズムが形成される、前記〔７〕〜〔１１〕のいずれかに記載の電気掃除機の吸込具。
本吸込具によれば、反射境界面により反射される光の方向がプリズムのパターンにより決められる。このため、被清掃面に形成される光の照射範囲の設定に関する自由度が高められる。
【０１９３】
〔１３〕前記電気掃除機の吸込具の一例によれば、前記プリズムのパターンは、前記反射境界面により反射された光に、前記ケースの平面視において前記ケースの前後方向に沿って進行する成分、および、前記ケースの平面視において前記ケースの前後方向に対して斜めに進行する成分が含まれるパターンである、前記〔１２〕に記載の電気掃除機の吸込具。
【０１９４】
本吸込具によれば、ケースの平面視においてケースの前後方向に沿うように進行する光はケースの前方側の遠方に到達しやすい。また、ケースの平面視においてケースの前後方向に対して斜めに進行する光はケースの前方側においてケースの幅方向に光が広がりやすい。このため、ケースの前方側に広い光の照射範囲が形成される。
【０１９５】
〔１４〕本発明に従う電気掃除機の一形態は前記〔１〕〜〔１３〕のいずれかに記載の吸込具を備える。
本電気掃除機の使用者は吸込具により被清掃面に光を照射しながら被清掃面を清掃できる。このため、本電気掃除機は掃除しやすい環境を使用者に提供できる。
【産業上の利用可能性】
【０１９６】
本発明は家庭用の電気掃除機の吸込具、および、業務用の電気掃除機の吸込具をはじめとして、各種の環境において利用される電気掃除機の吸込具に適用できる。
【符号の説明】
【０１９７】
１０  ：吸込具
１１  ：回転ブラシ
１２  ：電動機
１３  ：ベルト
１４  ：ペダル
２０  ：ケース
２０Ａ：ブラシハウジング
２１  ：底壁
２２  ：前壁
２３  ：側壁
２４  ：後壁
２５  ：上壁
２６  ：収容空間
２７  ：吸込口
２８  ：窓
２９  ：吸引通路
３０  ：上部ケース
３０Ａ：上部前方ケース
３０Ｂ：上部後方ケース
３１  ：上壁
３２  ：前壁
３３  ：側壁
３４  ：後壁
３５  ：上部吸込口
４０  ：下部ケース
４１  ：底壁
４２  ：前壁
４３  ：側壁
４４  ：後壁
４５  ：リブ
４６  ：要素嵌合凹部
４７  ：上部吸込口
５０  ：バンパー
５１  ：底壁
５２  ：前壁
５３  ：側壁
５４  ：リブ
５５  ：リブ嵌合凹部
５６  ：要素嵌合凹部
５７  ：ガイド面
６０  ：下部アセンブリー
６１  ：吸込具配置部
６２  ：レバー配置部
６３  ：基板配置部
６４  ：スイッチ配置部
６５  ：電動機配置部
６６  ：上側吸込部
６７  ：光源配置部
６８  ：光学素子配置部
７０  ：回路基板
７１  ：リード線
８０  ：スイッチユニット
８１  ：リミットスイッチ
８２  ：ホイール型スイッチ
８３  ：スイッチカバー
９０  ：補助吸込具
９１  ：吸引通路
１００：照明ユニット
１１０：光源
１１１：光源基板
１１２：チップＬＥＤ
１２０：入射隙間
１３０：反射隙間
２００：光学素子群
２１０：導光板
２１１：入射境界面
２１２：反射境界面
２１３：透過境界面
２１４：上面
２１５：下面
２１６：導光部
２１７：突起
２２０：反射板
２２１：遮光部
２２２：収容部
２２３：傘
２２４：スペーサー
２２５：嵌合リブ
２３０：透明カバー
２３１：透過部
２３２：脚
２３３：腕
２３４：切欠
２３５：上側支持部
２３６：下側支持部
３００：電気掃除機
３１０：本体
３１１：電動送風機
３１２：電源コード
３２０：ホース
３３０：延長管
Ｒ１  ：反射領域
Ｒ２  ：透過領域
Ｐ    ：被清掃面
ＴＰ  ：なす角
ＴＡ  ：なす角
ＴＢ  ：なす角
ＨＣ  ：中心高さ
ＮＸ  ：法線
ＮＴ  ：法線
ＮＢ  ：法線
ＳＡ  ：線分
ＳＢ  ：線分
ＬＦ  ：距離
ＬＲ  ：距離
【図１】
0006459424.tif 000002
【図２】
0006459424.tif 000003
【図３】
0006459424.tif 000004
【図４】
0006459424.tif 000005
【図５】
0006459424.tif 000006
【図６】
0006459424.tif 000007
【図７】
0006459424.tif 000008
【図８】
0006459424.tif 000009
【図９】
0006459424.tif 000010
【図１０】
0006459424.tif 000011
【図１１】
0006459424.tif 000012
【図１２】
0006459424.tif 000013
【図１３】
0006459424.tif 000014
【図１４】
0006459424.tif 000015
【図１５】
0006459424.tif 000016
【図１６】
0006459424.tif 000017
【図１７】
0006459424.tif 000018
【図１８】
0006459424.tif 000019
【図１９】
0006459424.tif 000020
【図２０】
0006459424.tif 000021
【図２１】
0006459424.tif 000022
【図２２】
0006459424.tif 000023
【図２３】
0006459424.tif 000024
【図２４】
0006459424.tif 000025
【図２５】
0006459424.tif 000026
【図２６】
0006459424.tif 000027
【図２７】
0006459424.tif 000028
【図２８】
0006459424.tif 000029
【図２９】
0006459424.tif 000030
【図３０】
0006459424.tif 000031